(57)【要約】【課題】高い意匠性を有するＰＥＴボトルを提供すること。【解決手段】円筒状胴部を有するＰＥＴボトル１の前記胴部に、マルチプレックスホログラム２を巻き付ける。マルチプレックスホログラムは円筒状のホログラムであり、その内部から照明することにより、このホログラムに記録された三次元の像を円筒状ホログラムの内部に再生することができる。本発明においては、このマルチプレックスホログラムを円筒状胴部に巻き付けているから、ＰＥＴボトルの直上又は直下に光源３を配置することにより、三次元の立体像を再生して観察することが可能である。【選択図】図１
2016155592.tif 000002
【特許請求の範囲】
【請求項１】
円筒状胴部を有するＰＥＴボトルの前記胴部に、マルチプレックスホログラムを巻き付けて構成されることを特徴とする装飾を有するＰＥＴボトル。
【請求項２】
前記マルチプレックスホログラムがレリーフホログラムであることを特徴とする請求項１に記載の装飾を有するＰＥＴボトル。
【請求項３】
前記マルチプレックスホログラムが体積ホログラムであることを特徴とする請求項１に記載の装飾を有するＰＥＴボトル。
【発明の詳細な説明】
【技術分野】
【０００１】
本発明は胴部に装飾を有するＰＥＴボトルに関する。
【背景技術】
【０００２】
ＰＥＴボトルは、ポリエステル樹脂を材料として有底筒状のプリフォームを製造し、このプリフォームを縦延伸ブロー成形して得られる容器である。ＰＥＴボトルはこのような製造工程によって製造されることから、ＰＥＴボトル自体に表示や装飾を付与することは困難である。
【０００３】
このため、ＰＥＴボトルには、印刷柄等を施したシュリンクラベルを適用して、その胴部に表示や装飾を付与することが通常である。すなわち、印刷柄等を施したシュリンクラベルを筒状に丸めてＰＥＴボトルの胴部に巻き付け、次にシュリンクラベルを熱収縮させることによりＰＥＴボトル胴部に緊縛して一体化する（特許文献１）。内容物を消費した後のＰＥＴボトルを破砕することによってシュリンクラベルが剥がれるから、ＰＥＴボトルの材料、すなわち、ポリエステル樹脂とシュリンクラベルの素材とを分離して回収することができる。
【０００４】
なお、印刷柄等を施した接着ラベルをＰＥＴボトルに接着することにより、表示や装飾を付与する技術も知られている（特許文献１）。もっとも、内容物消費後のＰＥＴボトルから接着ラベルを剥離することが困難で、分別回収が難しいことから、接着ラベルを使用したＰＥＴボトルは普及していない。
【先行技術文献】
【特許文献】
【０００５】
【特許文献１】特開２０１５−１４６３０号公報
【発明の概要】
【発明が解決しようとする課題】
【０００６】
しかしながら、シュリンクラベルにしても接着ラベルにしても、その装飾は専ら印刷によって施されたものであるから、高い意匠性を付与することができなかった。
【０００７】
そこで、本発明は、高い意匠性を有するＰＥＴボトルを提供することを目的とする。
【課題を解決するための手段】
【０００８】
すなわち、請求項１に記載の発明は、円筒状胴部を有するＰＥＴボトルの前記胴部に、マルチプレックスホログラムを巻き付けて構成されることを特徴とする装飾を有するＰＥＴボトルである。
【０００９】
次に、請求項２に記載の発明は、前記マルチプレックスホログラムがレリーフホログラムであることを特徴とする請求項１に記載の装飾を有するＰＥＴボトルである。
【００１０】
次に、請求項３に記載の発明は、前記マルチプレックスホログラムが体積ホログラムであることを特徴とする請求項１に記載の装飾を有するＰＥＴボトルである。
【発明の効果】
【００１１】
マルチプレックスホログラムは円筒状のホログラムであり、その内部から照明することにより、このホログラムに記録された三次元の像を円筒状ホログラムの内部に再生するこ
とができる。本発明においては、このマルチプレックスホログラムを円筒状胴部に巻き付けているから、ＰＥＴボトルの直上又は直下に光源を配置することにより、三次元の立体像を再生して観察することが可能である。
【図面の簡単な説明】
【００１２】
【図１】本発明に係る装飾を有するＰＥＴボトルの斜視図である。
【図２】マルチプレックスホログラムの撮影方法を示すもので、図２（ａ）はその第１工程を示す説明図、図２（ｂ）は第１工程で得られたフィルムの正面説明図である。
【図３】マルチプレックスホログラムの撮影方法を示すもので、図３（ａ）はその第２工程を示す説明図、図３（ｂ）は得られたマルチプレックスホログラムの正面説明図、図３（ｃ）はマルチプレックスホログラムの断面説明図である。
【発明を実施するための形態】
【００１３】
本発明の装飾を有するＰＥＴボトルは、図１に示すように、ＰＥＴボトル１とマルチプレックスホログラム２とを必須の構成要素とするものである。ＰＥＴボトル１はその胴部が円筒状を有するもので、マルチプレックスホログラム２はその周囲に巻き付けられている。
【００１４】
マルチプレックスホログラム２は、後述するように、その円周方向に多数の領域（フレーム）２１，２２，‥２ｎに区分されており、これら各フレーム２１，２２，‥２ｎには、所定のホログラム画像が記録されている。そして、ＰＥＴボトル１の直上又は直下に光源３を配置し、この光源３でマルチプレックスホログラム２を内部から照明すると共に、マルチプレックスホログラム２の外側から観察することにより、その内部に三次元の像を再生することができる。
【００１５】
マルチプレックスホログラム２は、二光束干渉法あるいは電子線描画法によって撮影することができる。そこで、まず、二光束干渉法によってマルチプレックスホログラム２を撮影する方法について説明する。
【００１６】
二光束干渉法は２つの工程を経てマルチプレックスホログラム２を撮影する方法である。すなわち、その第一工程は三次元の物体を、その全周に渡って撮影する工程である。この工程では、図２（ａ）に示すように、三次元の物体をターンテーブル上に載置し、ターンテーブルを間欠的に回転しながら、ロール状の感光性フィルムにコマ撮りする。図２（ｂ）はこうして撮影されたロール状フィルムを示しており、このロール状フィルムには、ターンテーブルの回転に伴って各角度から撮影された三次元物体の写真像（図示せず）の各コマ２１’，２２’，‥２ｎ’が、その回転角度の順に、記録されている。
【００１７】
次に、第二工程はこのロール状フィルムからホログラム画像を撮影する工程である。この工程では、図３（ａ）に示すように、前記写真像を記録したロール状フィルムと長尺の感光性材料との間に、球面レンズとシリンドリカルレンズとを配置する。また、感光性材料の前には、スリットを設けた遮蔽板を配置する。そして、前記ロール状フィルムに記録された写真像多数のコマのうち、最初のコマ２１’に対してレーザー光線を照射して透過させる。ロール状フィルムを透過したレーザー光線は球面レンズによって上下左右に拡大された後、シリンドリカルレンズによって左右方向、すなわち、マルチプレックスホログラム２の円周方向に縮小される。そして、このように前記ロール状フィルムの一コマ分の画像を透過したレーザー光線から成る物体光が上下左右に拡大又は縮小され、遮蔽板のスリットを通して感光性材料の最初のフレーム２１に入射する。一方、感光性材料の斜め下方からレーザー光線から成る参照光を照射して、これら物体光と参照光とを干渉させ、この干渉縞をホログラム画像として記録する。そして、前記ロール状フィルムを、順次、間欠的に次のコマに移動させると共に、感光性材料を間欠的に次のフレームに移動させて、
同様の撮影を繰り返すことにより、各フレーム２１，２２，‥２ｎにホログラム画像を撮影してマルチプレックスホログラム２を製造することができる。
【００１８】
こうして得られたマルチプレックスホログラム２は、図３（ｂ）に示すように、その各フレーム２１，２２，‥２ｎに、ロール状フィルムの各コマ２１’，２２’，‥２ｎ’に記録された写真画像の立体情報を波面の形式で記録したものである。このため、各フレーム２１，２２，‥２ｎに対して参照光と同じ方向から照明光を照射すると、図３のロール状フィルムの位置に各コマ２１’，２２’，‥２ｎ’の写真画像が再生される。
【００１９】
そこで、このマルチプレックスホログラム２を円筒状に丸め、その下方から照明光を照射すると、各フレーム２１，２２，‥２ｎによって再生される各写真画像は、いずれも、マルチプレックスホログラム２の中央付近に再生されることになる。
【００２０】
ところで、この円筒状マルチプレックスホログラム２をその外側から観察した場合には、左右の目で観察する各写真画像はその視差に応じて互いに異なるものである。そして、前述のように、マルチプレックスホログラム２に記録された各写真画像は、ターンテーブルの回転角度の順に並べたものであるから、両眼で観察する各写真画像は、その視差に応じて互いに異なった角度から前記三次元物体を観察したときの写真画像である。このため、両眼でこのマルチプレックスホログラム２を観察すると、その中央付近に、前記三次元物体の立体像が観察できる。
【００２１】
以上、二光束干渉法によってマルチプレックスホログラム２を撮影する方法を説明したが、電子線描画法によってマルチプレックスホログラム２を撮影する場合には、同様の干渉縞、すなわちホログラム画像を計算によって算出し、感光性材料に電子線を照射して描画すればよい。
【００２２】
ところで、この干渉縞（ホログラム画像）を記録する前記感光性材料としては種々の材料を使用できる。例えば、いわゆる銀塩フィルムである。銀塩フィルムを使用して記録したホログラム画像は、干渉縞が明暗の形式で記録された振幅型ホログラムである。
【００２３】
一方、感光性樹脂を塗布した透明フィルムを前記感光性材料として使用して記録したホログラム画像は、いわゆる位相型ホログラムである。図３（ｃ）はこの例を示すもので、透明フィルム２１の上に感光性樹脂２２を塗布して前記感光性材料とし、この感光性材料に前記干渉縞（ホログラム画像）を記録したマルチプレックスホログラム２を示している。この例は、この感光性材料に露光し、現像して感光性樹脂２２の表面に凹凸を形成した後、感光性樹脂２２を硬化させて前記干渉縞（ホログラム画像）を記録したレリーフ型ホログラムである。また、透明フィルムに厚膜の感光性樹脂２２を塗布し、露光によって内部の屈折率を部分的に変化させた体積ホログラムとすることも可能である。
【００２４】
次に、こうして撮影したマルチプレックスホログラム２をそのままＰＥＴボトルに巻き付けてもよいが、このマルチプレックスホログラム２を原版として、この原版から複製したマルチプレックスホログラム２をＰＥＴボトルに巻き付けることもできる。振幅型ホログラムを複製する場合には、例えば、銀塩フィルムに振幅型マルチプレックスホログラム２を重ね、ホログラム２側からレーザー光線を照射することにより、複製することができる。また、レリーフ型ホログラムを複製する場合には、このレリーフ型マルチプレックスホログラムの表面凹凸を転写してプレス型を作成し、このプレス型を熱可塑性樹脂に熱圧して表面凹凸を転写すればよい。また、体積ホログラムを複製する場合には、透明フィルムに厚膜の感光性樹脂を塗布し、この感光性樹脂に体積ホログラムを重ね、体積ホログラム側からレーザー光線を照射すればよい。
【００２５】
次に、マルチプレックスホログラム２の裏面に接着剤を塗布し、ＰＥＴボトルの円筒状胴部に接着しながら巻き付けることにより、本発明に係る装飾を有するＰＥＴボトルを製造することができる。接着剤はマルチプレックスホログラム２の裏面全面に塗布することもできるが、両端に塗布すれば十分である。
【００２６】
こうして得られた装飾を有するＰＥＴボトルは、例えば、ＰＥＴボトルの直下に光源３を配置して内面側から照明光を照射し、外面側から観察することにより、前記三次元物体の立体像を観察することができる。また、光源３をＰＥＴボトルの直上に配置して観察した場合にも同じ立体像を観察することが可能である。ＰＥＴボトルに飲料等の内容物が収容されている場合には、この内容物を排出した後、照明光を照射して観察することが望ましい。なお、光源３としては任意のものを使用することができる。例えば、白熱電球、ＬＥＤ電球、ペンライト、懐中電灯等である。あるいは携帯用端末のディスプレイを光源３として、前記立体像を再生してもよい。
【符号の説明】
【００２７】
１‥ＰＥＴボトル
２‥マルチプレックスホログラム
２１，２２，‥２ｎ‥マルチプレックスホログラムの各フレーム
２１’，２２’，‥２ｎ’‥ロール状フィルムの各コマ
２１‥透明フィルム
２２‥感光性樹脂
３‥光源
【図１】
2016155592.tif 000003
【図２】
2016155592.tif 000004
【図３】
2016155592.tif 000005